(57)【特許請求の範囲】
【請求項１】
１本の線材によって複数のばね部及び隣り合うばね部の上端と下端とをそれぞれ上部連結杆部と下部連結杆部とで連結するとともに、隣り合うばね部を絡ませた連続ばね体を形成し、その連続ばね体を並設してスプリングユニットとし、このスプリングユニットの上下面の少なくとも上面に弾性材を積層し、その積層体を外装体で被覆してなるマットレス装置において、
上記スプリングユニットの長手方向中途部の複数箇所に、上記連続ばね体の隣り合う一対のばね部を上部連結杆部だけによって連結した柔軟部を上記スプリングユニットの幅方向に沿って形成し、
複数箇所の柔軟部のうちの少なくとも下方に向かって屈曲される柔軟部を形成した一方のばね部の軸方向中途部を、スプリングユニットの幅方向に沿って設けた絡み防止部材によって連結したことを特徴とするマットレス装置。
【請求項２】
ベッド本体と、
このベッド本体に固定された固定床部及びこの固定床部の一端に回動可能に連結された背床部及び他端に回動可能に連結された脚床部とに分割された床板体と、
上記背床部及び脚床部を起伏駆動する駆動機構と、
上記床板体上に載置されるマットレス装置と
を具備し、
上記マットレス装置は請求項１記載の構成であることを特徴とするベッド装置。
【発明の詳細な説明】
【０００１】
【発明の属する技術分野】
この発明は１本の線材によって複数のばね部が連続して形成された連続ばね体によって構成されるスプリングユニットを有するマットレス装置及びそのマットレス装置を備えたベッド装置に関する。
【０００２】
【従来の技術】
ベッド装置には、老人や病人などのように自力で起き上がることが困難な利用者や利用者が上半身を起した姿勢を容易に維持できるようにするためなどに、いわゆる起床式のベッド装置が用いられる。
【０００３】
この種のベッド装置は、ベッド本体を有し、このベッド本体には床板体が設けられる。この床板体は、上記ベッド本体に固定された固定床部、この固定床部の一端に回動可能に連結された背床部及び他端に回動可能に連結された脚床部からなる。
【０００４】
上記ベッド本体には駆動機構が設けられている。この駆動機構は、上記背床部や脚床部を起伏駆動するようになっている。背床部が起上されれば、利用者は上半身を起すことができ、それと同時に脚床部をへの字状に屈曲起上させることで、上半身が起された利用者の脚部を持ち上げ、身体の臀部が前方にずれ動きにくいようにしている。
【０００５】
このような起床式のベッド装置においては、上記床板体上にマットレス装置が載置される。このマットレス装置は、床板体の起上に応じて屈曲し易い構造が採用されている。
【０００６】
屈曲し易い構造のマットレス装置としては、連続ばね体を用いた構造が知られている。上記連続ばね体は、１本の線材によって複数のばね部及び隣り合うばね部の上端と下端とをそれぞれ上部連結杆部と下部連結杆部とで連続形成するとともに、隣り合うばね部を絡ませた構造となっている。
【０００７】
そして、複数の連続ばね体を並設し、並設方向と交差する方向に上部連結杆部と下部連結杆部とをそれぞれヘリカル線で連結することでスプリングユニットとし、このスプリングユニットに弾性材を積層し、この積層体を外装地で被覆してマットレス装置としている。
【０００８】
このような構成のマットレス装置を、床板体の起伏に応じて屈曲可能な構成とするためには、上記ばね体の隣り合う一対のばね部を、スプリングユニットの幅方向全長にわたってこれらばね部を絡ませることなく、上部連結杆部だけによって連結した柔軟部に形成する。それによって、その柔軟部では、スプリングユニットを上部連結杆部を弾性変形させて屈曲できることになる。
【０００９】
【発明が解決しようとする課題】
ところで、このような構成のマットレス装置を起床式のベッド装置に適用する場合、マットレス装置には床板体の起上に応じて屈曲可能な構造、つまり固定床部と背床部との連結部分及び固定床部と脚床部との連結部分にそれぞれ柔軟部を有する構造が採用されることになる。
【００１０】
柔軟部は、隣り合う一対のばね部を上部連結杆部だけによって連結するため、スプリングユニットが上方に向かって屈曲される場合には、柔軟部の下端側が開くため、この柔軟部を形成する、対向する一対のばね部がぶつかり合うことがない。しかしながら、スプリングユニットが下方に向かって屈曲された場合、つまり柔軟部が閉じる方向に屈曲されると、柔軟部を形成する一対のばね部がぶつかあり合うことになる。その際、一対のばね部の下端部が絡み合い、スプリングユニットの屈曲状態を解除しても、その絡み合いが外れなくなるということがある。
【００１１】
図５（ｂ）は、連続ばね体１の柔軟部２を形成した一対のばね部３の下端部が絡み合った状態を示している。この連続ばね体１は、図５（ａ）に示すように、複数のばね部３の上端と下端とがそれぞれ上部連結杆部４と下部連結杆部５によって交互に連結されていて、下部連結杆部５によって連結されずに隣り合う一対のばね部３ａ，３ｂ及び３ｃ，３ｄは、連結状態を上部連結杆部４だけとすることで、柔軟部６に形成されている。
【００１２】
スプリングユニットは複数の連続ばね体１が並設され、これら連続ばね体１は、並設方向と交差する方向に設けられたヘリカル線７によって上部連結杆部４の箇所が結合されている。
【００１３】
このような構成において、上記連続ばね体１が下方に向かって折り曲げられる、つまり柔軟部６の下端側が閉じる方向に折り曲げられると、図５（ｂ）に示すように一方のばね部３ｂの下端部が対向する他方のばね部３ａの下端部に絡んでしまうことがある。そして、この絡んだ状態は、スプリングユニットの折り曲げ状態を解除しても解けなくなるため、スプリングユニットの性能低下を招くことになる。
【００１４】
この発明は、連続ばね体を用いてスプリングユニットを形成し、さらにそのスプリングユニットに隣り合う一対のばね部が上部連結杆部だけによって連結された柔軟部を形成した場合、この柔軟部を閉じる方向に折り曲げたときに、対向する一対のばね部が絡み合うことがないようにしたマットレス装置及びそのマットレス装置が用いられるベッド装置を提供することにある。
【００１５】
【課題を解決するための手段】
請求項１の発明は、１本の線材によって複数のばね部及び隣り合うばね部の上端と下端とをそれぞれ上部連結杆部と下部連結杆部とで連結するとともに、隣り合うばね部を絡ませた連続ばね体を形成し、その連続ばね体を並設してスプリングユニットとし、このスプリングユニットの上下面の少なくとも上面に弾性材を積層し、その積層体を外装体で被覆してなるマットレス装置において、
上記スプリングユニットの長手方向中途部の複数箇所に、上記連続ばね体の隣り合う一対のばね部を上部連結杆部だけによって連結した柔軟部を上記スプリングユニットの幅方向に沿って形成し、
複数箇所の柔軟部のうちの少なくとも下方に向かって屈曲される柔軟部を形成した一方のばね部の軸方向中途部を、スプリングユニットの幅方向に沿って設けた絡み防止部材によって連結したことを特徴とするマットレス装置にある。
【００１７】
請求項２の発明は、ベッド本体と、
このベッド本体に固定された固定床部及びこの固定床部の一端に回動可能に連結された背床部及び他端に回動可能に連結された脚床部とに分割された床板体と、
上記背床部及び脚床部を起伏駆動する駆動機構と、
上記床板体上に載置されるマットレス装置と
を具備し、
上記マットレス装置は請求項１記載の構成であることを特徴とするベッド装置にある。
【００１８】
請求項１の発明によれば、柔軟部を形成する一対のばね部のうちの一方の軸方向中途部に、絡み防止部材をスプリングユニットの幅方向に沿って設けたので、この絡み防止部材によってスプリングユニットを折り曲げたときに、他方のばね部が一方のばね部に絡むのを防止することができる。
【００１９】
請求項２の発明によれば、床板体の背床部や脚床部を起伏駆動してマットレス装置を屈曲させても、そのマットレス装置を構成するスプリングユニットの柔軟部のばね部が絡み合うのを防止できる。
【００２０】
【発明の実施の形態】
以下、この発明の一実施の形態を図面を参照して説明する。
【００２１】
図４は起床式のベッド装置を示し、このベッド装置はベッド本体１１を備えている。このベッド本体１１はベースフレーム１２を有し、このベースフレーム１２にはベッドフレーム１３がリンク１４によって連結されている。このリンク１４は図示しない上下駆動機構によって同図に矢印で示す方向に回動駆動されるようになっている。それによって、上記ベッドフレーム１３の支持高さを変えることができる。
【００２２】
上記ベッドフレーム１３には床板体１５が設けられている。この床板体１５は、複数の床部に分割されている。つまり、ベッドフレーム１３の長手方向中央部には固定床部１６が固定され、この固定床部１６の一端には腰床部１７と背床部１８とが順次回動可能に連結されている。上記固定床部１６の他側には、第１の脚床部１９と第２の脚床部２１とが順次回動可能に連結されている。
【００２３】
上記ベッドフレーム１３の下面側には背上げ駆動機構２２が設けられている。この背上げ駆動機構２２は、回転駆動される第１のアーム２３と第２のアーム２４を有する。第１のアーム２３の先端にはローラ２５が回転自在に設けられ、このローラ２５は上記背床部１８の下面に設けられた断面コ字状のレール部材２６に転動自在に係合している。
【００２４】
したがって、第１のアーム２３が上昇方向に回動駆動されると、背床部１８が起上方向に駆動される。背床部１８が起上すると、それに腰床部１７が連動して上昇方向に回動する。
【００２５】
上記第２のアーム２４の先端部にはローラ２７が回転自在に設けられ、このローラ２７は第１の脚床部１９の下面に当接している。したがって、第２のアーム２４が駆動されると、第１の脚床部１９が起上し、それに第２の脚床部２１が連動するようになっている。第２の脚床部２１の一端部にはリンク２８の一端が回動自在に連結されている。このリンク２８の他端はベッドフレーム１３に回動自在に連結されている。
【００２６】
したがって、第１の脚床部１９が起上し、それに第２の脚床部２１が連動すると、第２の脚床部２１は上記リンク２８によってほぼ水平に上昇した状態で保持されるようになっている。
【００２７】
なお、ベッドフレーム１３の長手方向一端にはヘッドボード２９が設けられ、他端にはフットボード３１が設けられている。
【００２８】
上記床板体１５上にはマットレス装置３２が載置される。このマットレス装置３２は、スプリングユニット３３を有し、このスプリングニット３３の上下面にはシート状の弾性材３４が積層され、この積層体は外装地３５によって被覆されている。
【００２９】
上記スプリングユニット３３は、図２（ａ）、（ｂ）に示すように複数の連続ばね体３６がスプリングユニット３３の幅方向に沿って並設されている。上記連続ばね体３６は、複数のばね部３７の上端と下端とがそれぞれ上部連結杆部３８と下部連結杆部３９によって交互に連結されている。
【００３０】
スプリングユニット３３の長手方向中途部には、下部連結杆部３９によって連結されずに隣り合う一対のばね部３７の連結状態を上部連結杆部３８だけにすることで、上部連結杆部３８を弾性的に変形させながらスプリングユニット３３を屈曲可能とする柔軟部４１に形成されている。
【００３１】
この実施の形態において、柔軟部４１は、上記床板体１５の固定床部１６と腰床部１７との連結部部分及び第１の脚床部１９と第２の脚床部２１との連結部分に対応する位置に形成されている。また、柔軟部４１は図１（ａ）に示すように下部連結下部３９によって連結された２つのばね部３７（便宜上３７ａとする）にそれぞれ対向する２つのばね部３７（便宜上３７ｂとする）の絡み合いを解除することで形成されている。
【００３２】
なお、柔軟部４１以外の箇所では、図１（ｂ）に示すように隣り合うばね部３７は軸方向中途部及び下部連結杆部３９が絡み合わされ、それによってスプリングユニット３３は大きく屈曲させることができないようになっている。
【００３３】
柔軟部４１及びそれ以外の箇所において、隣り合う上部連結杆部３８の端部は絡み合わされている。また、柔軟部４１以外の箇所では、下部連結杆部３９も絡み合わされている。そして、並設された連続ばね体３６は、上部連結杆部３８及び柔軟部４１以外の下部連結杆部３９の絡み合った箇所がそれぞれ第１のヘリカル線４２によって連結されている。つまり、第１のヘリカル線４２は、図２（ａ）、（ｂ）に示すようにスプリングユニット３３の幅方向に沿って設けられている。
【００３４】
上記柔軟部４１の箇所においては、絡み合いが解除された一対のばね部３７のうちの一方のばね部３７の軸方向中途部には、スプリングユニット３３の幅方向ほぼ全長にわたって絡み防止部材としての第２のヘリカル線４３が上記ばね部３７に連結されて設けられている。この第２のヘリカル線４３によって、スプリングユニット３３を柔軟部４１が閉じる方向に屈曲させたときに、この柔軟部４１の一対のばね部３７のうちの一方のばね部３７に、他方のばね部３７が絡まるのが阻止されるようになっている。
【００３５】
図３（ａ）は、柔軟部４１が開く状態にスプリングユニット３３が屈曲された場合を示しており、その場合には柔軟部４１の連結されていない隣り合うばね部３７が離れるから、これらばね部３７が絡み合うことはない。
【００３６】
一方、図３（ｂ）に示すように、柔軟部４１が閉じる状態にスプリングユニット３３が屈曲されると、この柔軟部４１を形成する対向した一対のばね部３７はぶつかる方向に変位するから、これらばね部３７が絡み合う虞がある。
【００３７】
しかしながら、一対のばね部３７のうちの一方には、軸方向中途部にスプリングユニット３３の幅方向に沿う第２のヘリカル線４３が設けられている。そのため、他方のばね部３７は上記第２のヘリカル線４３にぶつかり、それ以上一方のばね部３７に接近するのが阻止されるから、この他方のばね部３７が一方のばね部３７に図５（ｂ）に示すように絡み合うのが防止されることになる。
【００３８】
上記構成のマットレス装置３２を起床式のベッド装置に用いた場合、スプリングユニット３３の柔軟部４１は背床部１８を起上させたときや第１の脚床部１９を起上させたときに屈曲される。
【００３９】
通常、固定床部１６と背床部１８との連結部分に対応する柔軟部４１は、背床部１８を起上させることで開く方向に変形するから、柔軟部４１の対向する一対のばね部３７が絡み合うことはない。しかしながら、マットレス装置３２は通常、上下両面が使用できるようになっているから、間違って床板体１５上に柔軟部４１の開放端が上向きになるようマットレス装置３２を載置しまうことがあり、そのような場合などには柔軟部４１が閉じる方向にスプリングユニット３３が屈曲されるから、柔軟部４１の対向する一対のばね部３７が絡み合うことになる。
【００４０】
また、柔軟部４１の開放端が下向きになるよう、マットレス装置３２が床板体１５上に載置された場合でも、第１の脚床部１９と第２の脚床部２１との連結部分に対応位置する柔軟部４１は、第１の脚床部１９と第２の脚床部２１とがへの字状に屈曲されることで、柔軟部４１が閉じる方向にスプリングユニット３３が屈曲されるから、対向する一対のばね部３７が絡み合う方向に変位する。
【００４１】
いずれの場合であっても、上述したように、柔軟部４１の一対のばね部３７の一方の軸方向中途部には、スプリングユニット３３の幅方向に沿って第２のヘリカル線４３を設けたから、このヘリカル線４３によって一方のばね部３７に他方のばね部３７が絡み合うのを防止することができる。
【００４２】
【発明の効果】
請求項１の発明によれば、柔軟部を形成する一対のばね部のうちの一方のばね部の軸方向中途部に、絡み防止部材をスプリングユニットの幅方向に沿って連結して設けるようにした。
【００４３】
そのため、絡み防止部材によってスプリングユニットを折り曲げたときに、柔軟部の対向する一対のばね部のうちの、絡み防止部材が設けられていない他方のばね部が上記絡み防止部材に当たるから、その他方のばね部が一方のばね部に絡むのを防止することができる。
【００４４】
請求項２の発明によれば、床板体の背床部や脚床部を起伏駆動してマットレス装置を屈曲させても、そのマットレス装置を構成するスプリングユニットの柔軟部のばね部が絡み合うのを防止できる。
【図面の簡単な説明】
【図１】（ａ）はこの発明の一実施の形態を示すスプリングユニットの柔軟部が形成された部分の斜視図、（ｂ）は同じく柔軟部以外の部分の一部を示す斜視図。
【図２】（ａ）は同じくスプリングユニットの上面側を示す平面図、（ｂ）は同じく下面側を示す平面図、（ｃ）は同じく側面図。
【図３】（ａ）は同じく柔軟部が開く状態にスプリングユニットを屈曲させた状態の側面図、（ｂ）は同じく閉じる方向に屈曲させた状態の側面図。
【図４】同じく床板体上に載置されたマットレス装置を断面したベッド装置の側面図。
【図５】（ａ）は従来の柔軟部の斜視図、（ｂ）は同じく柔軟部のばね部が絡んだ状態の斜視図。
【符号の説明】
１１…ベッド本体
１５…床板体
１６…固定床部
１８…背床部
１９，２１…脚床部
２２…駆動機構
３３…スプリングユニット
３４…弾性材
３５…外装地
３６…連続ばね体
３７…ばね部
３８…上部連結杆部
３９…下部連結杆部
４１…柔軟部
４３…第２のヘリカル線（絡み防止部材）
【図１】
0003762591.tif 000002
【図２】
0003762591.tif 000003
【図３】
0003762591.tif 000004
【図４】
0003762591.tif 000005
【図５】
0003762591.tif 000006